Podtech/llm-jp-corpus-v4-ja_patent huggingface dataset:
(57)【要約】【課題】  弁体が環状弁座に完全密着できる真空破壊装置を提供する。【解決手段】  流体配管系（図示せず）に接続される流入口２と大気に開口される大気口３を有する弁ケーシング１内に流入口２と大気口３を連通する弁口４が形成された環状弁座５を設け、環状弁座５の流入口２側に常時は環状弁座５に着座して弁口４を閉口し、流入口２側が真空状態になったときに環状弁座５から離座して弁口４を開口するディスク状弁体７を配置し、ディスク状弁体７の外周を弁ケーシング１のリブ６の内面で摺接案内すると共にディスク状弁体７の外周と弁ケーシング１の内周壁との間の流体通過用の通路を各リブの間で形成する。【選択図】      図１
2006170321.tif 000002
【特許請求の範囲】
【請求項１】
流体配管系に接続される流入口と大気に開口される大気口を有する弁ケーシング内に流入口と大気口を連通する弁口が形成された環状弁座を設け、環状弁座の流入口側に常時は環状弁座に着座して弁口を閉口し、流入口側が真空状態になったときに環状弁座から離座して弁口を開口するディスク状弁体を配置し、ディスク状弁体の外周を弁ケーシングの内周壁で摺接案内すると共にディスク状弁体の外周と弁ケーシングの内周壁との間に流体通過用の通路を設けたことを特徴とする真空破壊弁。
【発明の詳細な説明】
【技術分野】
【０００１】
本発明は、流体配管や流体機器等の流体配管系に接続して流体配管系が真空状態になったときに大気を導入して真空状態を破壊する真空破壊弁に関する。
【背景技術】
【０００２】
従来の真空破壊弁は、流体配管系に接続される流入口と大気に開口される大気口を有する弁ケーシング内に流入口と大気口を連通する弁口が形成された環状弁座を設け、環状弁座の流入口側に常時は環状弁座に着座して弁口を閉口し、流入口側が真空状態になったときに環状弁座から離座して弁口を開口する球状弁体を配置したものである。
【０００３】
上記従来の真空破壊弁は、球状弁体が弁口を閉口した閉弁時に、球状弁体の外表面に環状弁座の弁口径よりも僅かに大径の環状に流体配管中の錆やスケール等の異物が付着する。球状弁体は環状弁座から離座したときに自由に転動できるものであるので、環状弁座に着座するときには着座の都度、環状弁座への着座部分が異なる。そのため、球状弁体は異物の付着した部分と付着していない部分が環状弁座に着座し、環状弁座に完全密着できないという問題点があった。
【特許文献１】実開昭５９−１９６７７９号公報
【発明の開示】
【発明が解決しようとする課題】
【０００４】
解決しようとする課題は、弁体が環状弁座に完全密着できる真空破壊装置を提供することである。
【課題を解決するための手段】
【０００５】
本発明の真空破壊弁は、流体配管系に接続される流入口と大気に開口される大気口を有する弁ケーシング内に流入口と大気口を連通する弁口が形成された環状弁座を設け、環状弁座の流入口側に常時は環状弁座に着座して弁口を閉口し、流入口側が真空状態になったときに環状弁座から離座して弁口を開口するディスク状弁体を配置し、ディスク状弁体の外周を弁ケーシングの内周壁で摺接案内すると共にディスク状弁体の外周と弁ケーシングの内周壁との間に流体通過用の通路を設けたことを特徴とする。
【発明の効果】
【０００６】
本発明は、環状弁座に離着座して弁口を開閉するディスク状弁体の外周を弁ケーシングの内周壁で摺接案内することにより、ディスク状弁体を環状弁座に完全密着させることができ、流体漏れを生じることがないという優れた効果を生じる。
【発明を実施するための最良の形態】
【０００７】
本発明の真空破壊装置は、環状弁座に離着座して弁口を開閉するディスク状弁体の外周が弁ケーシングの内周壁により摺接案内されるので、ディスク状弁体の同一部分が環状弁座に着座する。そのため、ディスク状弁体に環状弁座の弁口径よりも僅かに大径の環状に流体配管中の錆やスケール等の異物が付着しても、ディスク状弁体の異物が付着した部分が環状弁座に着座しない。そのため、ディスク状弁体は環状弁座に完全密着できる。
【実施例１】
【０００８】
上記の技術的手段の具体例を示す実施例を説明する（図１参照）。本実施例の弁ケーシング１は、図示しない流入口側配管フランジと大気口側配管フランジとの間に配置されボルトとナットからなる締結手段によって挟持されるものである。弁ケーシング１に流体配管系に接続される流入口２と、大気に開口される大気口３と、流入口２と大気口３を連通する弁口４が形成された環状弁座５を形成する。流入口２と大気口３と弁口４は同軸上に形成する。
【０００９】
弁ケーシング１の内周壁にリブ６を複数個、例えば４個設ける。リブ６の内面は総て同心円上に位置し流入口２と大気口３の軸心から等距離に形成する。環状弁座５の流入口２側にディスク状弁体７を配置する。ディスク状弁体７はその直径がリブ６の内面の直径よりも僅かに小さく、外周がリブ６の内面に緩く摺接する。各リブの間がディスク状弁体７の外周と弁ケーシング１の内周壁との間の流体通過用の通路を成す。弁ケーシング１の内周壁を円筒面に形成し、ディスク状弁体７の外周に突起を複数個、例えば４個設けて、ディスク状弁体７の突起の外端を弁ケーシング１の内周壁に緩く摺接させてもよい。
【００１０】
リブ６に形成した溝にディスク状弁体７の開度を規定する弁体受け８の外周を嵌めて固定する。弁体受け８は中心に流体通過用孔９を有する。ディスク状弁体７が弁体受け８に当接したときのディスク状弁体７と環状弁座５との間の距離は０．５ないし２ミリメートル程度、例えば１ミリメートル程度の小さな距離にする。これにより、ディスク状弁体７は開閉変位するときに弁ケーシング１のリブ６の内面に引っ掛かり難くなる。
【００１１】
ディスク状弁体７は常時は流入口２側の流体圧力により環状弁座５に着座して弁口４を閉口している。そして、ディスク状弁体７は流入口２側が真空状態になったときに大気圧により環状弁座５から離座して弁口４を開口する。これにより、大気を大気口３、弁口４、各リブ間の流体通過用の通路及び流体通過用孔９、流入口２を通して導入し真空状態を破壊する。ディスク状弁体７はその外周が弁ケーシング１のリブ６の内面により摺接案内され同一部分が環状弁座５に着座するので、環状弁座５の弁口４の口径よりも僅かに大径の環状に流体配管中の錆やスケール等の異物が付着しても、異物の付着した部分が環状弁座５に着座しない。そのため、ディスク状弁体７は環状弁座５に完全密着でき、流体漏れを生じることがない。
【図面の簡単な説明】
【００１２】
【図１】本発明の真空破壊弁の断面図。
【符号の説明】
【００１３】
１  弁ケーシング
２  流入口
３  大気口
４  弁口
５  環状弁座
６  リブ
７  ディスク状弁体
８  弁体受け
９  流体通過用孔
【図１】
2006170321.tif 000003
(57)【要約】【課題】  経年変化によって、パッキンがへたってもボルトに加わる軸力を維持して、ボルトの緩みを防止できるシール装置と、このシール装置を用いた産業用ロボットを提供する。【解決手段】  筐体１と蓋体２との間にシール材４を挟んでなる筐体１のシール装置において、蓋体２を、筐体１との対向面に凹３部を有する底の浅いカップ状に構成し、蓋体２と筐体１とを、それぞれの対向面を直接接触させて当接させるとともに、蓋体２の凹部３に、シール材４を筐体１に押圧するようにして収納する。【選択図】  図１
2006170300.tif 000002
【特許請求の範囲】
【請求項１】
筐体と蓋体との間にシール材を挟んでなる筐体のシール装置において、
前記蓋体を、筐体との対向面に凹部を有する底の浅いカップ状に構成し、
前記蓋体と前記筐体とを、それぞれの対向面を直接接触させて当接させるとともに、前記蓋体の凹部に、シール材を前記筐体に押圧するようにして収納したことを特徴とする筐体のシール装置。
【請求項２】
請求項１に記載の筐体のシール装置を、筐体としてのアームに備えたことを特徴とする産業用ロボット。
【発明の詳細な説明】
【技術分野】
【０００１】
本発明は、水密、気密あるいは防塵等を目的とする各種筐体のシール装置に関するもので、特に産業用ロボットに適用したシール装置に関するものである。
【背景技術】
【０００２】
従来より、例えば産業用ロボットにおいては、図２に示すように、例えばアームなどの筐体１の内部の機器を保護するため、あるいは筐体１の内部で発生するガスあるいは塵埃を外部に出さないために、筐体１と蓋体２の間に、パッキン、ガスケット、Ｏリングなどのシール材４を挟んでシールすることが知られている。特に、塗装ロボットの分野では、防爆目的のために、また、半導体製造用ロボットにおいては防塵目的のために、アームにシールを施すことが行なわれている。例えば特許文献１には、アームとカバーの間に面パッキンを挟んだ遮蔽型の産業用ロボットが開示されている。
【特許文献１】特開平１１−３３９７３号公報
【発明の開示】
【発明が解決しようとする課題】
【０００３】
このような従来のシール装置においては、次のような問題があった。
(1) 筐体（アーム）と蓋体（カバー）の間に面パッキンを挟んで、ボルトで筐体と蓋体を締め上げていたので、経年変化によって面パッキンがへたると、ボルトに加わっていた軸力が失われ、ボルトが緩んでしまう。
(2) 圧縮された面パッキンが筐体と蓋体の間から外部にはみ出すので美観を損ねる。
本発明は、このような問題を解決するためになされたもので、経年変化によって、パッキンがへたってもボルトに加わる軸力を維持して、ボルトの緩みを防止できるシール装置と、このシール装置を用いた産業用ロボットを提供することを目的とするものである。
【課題を解決するための手段】
【０００４】
上記問題を解決するため、本発明は、筐体と蓋体との間にシール材を挟んでなる筐体のシール装置において、前記蓋体を、筐体との対向面に凹部を有する底の浅いカップ状に構成し、前記蓋体と前記筐体とを、それぞれの対向面を直接接触させて当接させるとともに、前記蓋体の凹部に、シール材を前記筐体に押圧するようにして収納したものである。
また、この筐体のシール装置を産業用ロボットのアームに備えるようにしたものである。
【発明の効果】
【０００５】
本発明によれば、次のような効果がある。
請求項１に記載の発明によれば、蓋体と筐体は直接、面で接触しているので、シール材がへたっても、前記蓋体と前記筐体の間隔は変化しない。そのためボルトの緩みが生じない。
また、シール材が蓋体の凹部に収納されるので、シール材が外部にはみ出すことがなく、美観を損ねることがない。
また、請求項２に記載の発明によれば、ボルトの緩みを生じない産業用ロボットを提供することができるとともに、見栄えの良い産業用ロボットを提供することができる。
【発明を実施するための最良の形態】
【０００６】
以下、本発明の実施例を図に基づいて説明する。
【実施例】
【０００７】
図１は、本発明の実施例におけるシール装置を示す断面図である。
図１において、１は筐体で、例えばロボットのアームを構成している。２は蓋体で、例えば前記アーム１のカバーを構成している。前記蓋体２は、前記筐体１との対向面に凹部３を形成し、底の浅いカップ状に構成している。４は前記凹部３に収納したパッキン、ガスケット、Ｏリングなどのシール材である。
前記蓋体２の筐体１への取付けは、前記シール部材４を押圧するようにして、蓋体２と筐体１のそれぞれの対向面を直接接触させ、ボルト５で蓋体２を筐体１に締付け固定することにより行う。
本発明は、蓋体２と筐体１を直接、面で接触させているので、シール材４がへたっても、前記蓋体２と前記筐体１の間隔は変化しない。そのためボルト５に緩みが生じることはない。
また、シール材４を蓋体２の凹部３に収納しているので、シール材４を外部にはみ出させることがなく、美観を損ねることがない。
また、このシール装置を、産業用ロボットを適用することにより、産業用ロボットの見栄えをよくすることができる。
【図面の簡単な説明】
【０００８】
【図１】本発明の実施例におけるシール装置を示す断面図である。
【図２】従来技術におけるシール装置を示す断面図である。
【符号の説明】
【０００９】
１  筐体
２  蓋体
３  凹部
４  シール部材
５  ボルト
【図１】
2006170300.tif 000003
【図２】
2006170300.tif 000004
(57)【要約】【課題】電波暗箱を大型化することなく、測定対象電子機器の周囲（左右、前後）から発射される不要電磁波を良好に計測できるようにすることを目的とする。【解決手段】電子機器からの不要な電磁波を計測するのに使用される電波暗箱において、測定対象とする前記電子機器を取り囲むようにアンテナをループ状に配置したものである。【選択図】        図１
2006170798.tif 000002
【特許請求の範囲】
【請求項１】
電子機器からの不要な電磁波を計測するのに使用される電波暗箱において、
測定対象とする前記電子機器を取り囲むようにアンテナをループ状に配置したことを特徴とする電波暗箱。
【発明の詳細な説明】
【技術分野】
【０００１】
本発明は電子機器の不要な電磁波を簡易的に測定するのに適用して好適な電波暗箱に関する。
【背景技術】
【０００２】
一般に電子機器からの不要な電磁波を計測するのに電波暗室が使用されている。この電波暗室は装備が比較的大がかりで、高価であると共に比較的大型である。そこで、従来はこの電子機器の不要な電磁波を簡易的に測定するのに電波暗箱が使用されている。
【０００３】
従来の電波暗箱１は、図２に示す如く暗箱本体１ａと暗箱蓋１ｂとで箱体を形成し、この箱体は外側がアルミ板１Ａｌで、その内側が銅板１Ｃｕで、その内側に電波吸収体１ｄの３重構造をなしている。
【０００４】
この電波暗箱１の底部近傍に測定対象電子機器２の載置台３が固定され、この載置台３の下側即ち電波暗箱１の内側の底部に電磁波を受信するアンテナ４が設けられている。
【０００５】
この測定対象電子機器２の不要の電磁波の測定は、図２に示す如くこのアンテナ４で受信した電磁波を減衰器５及びプリアンプ６の直列回路を介して測定信号の周波数変化に対するレベル変化を得るようにしたスペクトラムアナライザ７に供給する。
【０００６】
このスペクトラムアナライザ７の表示部７ａに横軸が周波数で縦軸がレベルの測定信号の表示を行う如くする。
【発明の開示】
【発明が解決しようとする課題】
【０００７】
然しながら、図２に示す如き従来の電波暗箱１は、アンテナ４が電波暗箱１の底部にあり、この測定対象電子機器２の周囲（左右、前後）から発射される不要電磁波の計測ができなかった。
【０００８】
これは多くの電子機器は、その底部が金属のシャーシを使用しており、下方向には不要電磁波は出現しにくい構造であるためである。
【０００９】
このことは、実際の電波暗室の不要電磁波の測定において、測定対象の電子機器を計測台に載せ、この計測台を回転させて、この電子機器の周囲（左右、前後）から発射されている不要電磁波を計測している測定と相関が悪い問題があった。
【００１０】
この問題を解決するため、この電波暗箱１の中に、測定対象電子機器２を回転する回転台を設置すると共にアンテナ４を測定対象電子機器２の横方向に置くことが考えられるが、この電波暗箱１内に回転台を設けたときには、この回転台を回転する駆動機構から不要電磁波が発射され、この駆動機構からの不要電磁波も計測してしまうので、測定対象電子機器２からの不要電磁波かこの駆動機構からの不要電磁波かの判断がつかない不都合がある。
【００１１】
更に、測定対象電子機器２を回転する回転台をこの電波暗箱１内に設けたときには、それだけ電波暗箱１が大型化する不都合がある。
【００１２】
本発明は、斯かる点に鑑み、電波暗箱を大型化することなく、測定対象電子機器の周囲（左右、前後）から発射される不要電磁波を良好に計測できるようにすることを目的とする。
【課題を解決するための手段】
【００１３】
本発明電波暗箱は、電子機器からの不要な電磁波を計測するのに使用される電波暗箱において、測定対象とする前記電子機器を取り囲むようにアンテナをループ状に配置したものである。
【発明の効果】
【００１４】
本発明によれば、測定対象とする電子機器を取り囲むようにアンテナをループ状に配置したので、この電子機器の周囲（左右、前後）から発射される不要電磁波を良好に計測できると共に回転台等を電波暗箱内に設けないので、この電波暗箱が大型化することがない。
【発明を実施するための最良の形態】
【００１５】
以下、図１を参照して、本発明電波暗箱を実施するための最良の形態の例につき説明する。この図１において、図２に対応する部分には同一符号を付して示す。
【００１６】
本例の電波暗箱１は、図１Ａに示す如く、暗箱本体１ａと暗箱蓋１ｂとで箱体を形成し、この箱体は外側がアルミ板１Ａｌで、その内側が銅板１Ｃｕで、その内側に電波吸収体１ｄの３重構造をなしている。
【００１７】
本例においては、この測定対象の電子機器２を載置台３に載せた状態で、この電波暗箱１内に図１Ａ及びＢに示す如く、この測定対象とする電子機器２を取り囲むようにアンテナ１０をループ状に配置する。その他は周知の電波暗箱と同様に構成する。
【００１８】
この測定対象の電子機器２の不要の電磁波の測定は、図１Ａに示す如くこのアンテナ１０で受信した電磁波を減衰器５及びプリアンプ６の直列回路を介して測定信号の周波数変化に対するレベル変化を得るようにしたスペクトラムアナライザ７に供給する。
【００１９】
このスペクトラムアナライザ７の表示部７ａに横軸が周波数で縦軸がレベルの測定信号の表示を行う如くする。
【００２０】
本例によれば、測定対象とする電子機器２を取り囲むようにアンテナ１０をループ状に配置したので、この電子機器２の周囲（左右、前後）から発射される不要電磁波を良好に計測することができる。
【００２１】
また、本例によれば、回転台等を電波暗箱１内に設けないので、この電波暗箱１が大型化することがない。
【００２２】
また、本例によれば、測定対象とする電子機器２の周囲（左右、前後）からの不要電磁波を計測できるので、正規の電波暗室で電子機器の不要電磁波を計測したものと相関性が従来に比し高くなる利益がある。
【００２３】
尚、本発明は上述例に限ることなく、本発明の要旨を逸脱することなく、その他種々の構成が採り得ることは勿論である。
【図面の簡単な説明】
【００２４】
【図１】本発明電波暗箱を実施するための最良の形態の構成例を示し，ＡはＡ−Ａ線断面図、ＢはＢ−Ｂ線断面図である。
【図２】従来の電波暗箱の例を示す断面図である。
【符号の説明】
【００２５】
１…電波暗箱、２…電子機器、３…載置台、５…減衰器、６…プリアンプ、７…スペクトラムアナライザ、１０…アンテナ
【図１】
2006170798.tif 000003
【図２】
2006170798.tif 000004
(57)【要約】【課題】  体温計を制御式の体温計にしプリンターを付けることで、健康のバロメーターを家庭で管理することを可能にする。また、この制御式により健康データを自分で管理することを可能にする。【解決手段】  健康のバロメーターを針式の体温計により目視可能とすることで、健康への注意を意識させます。また、日々の健康データをプリントすることで、自分の健康への意識をさらに高める。【選択図】  図１
2006170826.tif 000002
【特許請求の範囲】
【請求項１】
制御式の体温計プリンター付きにすることで、従来にない単機能を付加して個人の健康データをプリントできるようにして、日々の健康データを個人で管理を容易にできるようにする。
さらに、この健康データにより、個人の特性を理解し易くする。また、エネルギーの配分を考え易くします。  
【発明の詳細な説明】
【技術分野】
【０００１】
本発明は、制御式の体温計のプリンター付きに関するものです。
【背景技術】
【０００２】
制御式の体温計は、個人の健康管理をする上で健康バロメーターを家庭で管理するひとつです。このような健康管理をすることにより、自分の健康バロメーターを管理できる。
【０００３】
この改善策として、個人の健康管理のひとつとして制御式の体温計で健康管理を行う。
【発明の開示】
【発明が解決しようとする課題】
【０００４】
解決しようとする問題点は、体温計を制御式の体温計にしプリンターを付けることで、健康のバロメーターを家庭で管理することを可能にします。また、この制御式により健康データを自分で可能にする。
【課題を解決するための手段】
【０００５】
本発明は、健康のバロメーターを針式の体温計により目視可能とすることで、健康への注意を意識させます。また、日々の健康データをプリントすることで、自分の健康への意識をさらに高める。
【発明の効果】
【０００６】
本発明の制御式の体温計プリンター付きは、この１機種の発明により同機種へ効果を発展させる。
【発明を実施するための最良の形態】
【０００７】
制御式の機器として取り扱うことにより、従来の体温計の危険性を取り除く。
【実施例１】
【０００８】
図１は、本発明機器の１実施例の断面図であります。
【実施例２】
【０００９】
図２と図３は、本発明機器の２実施例の使用例であります。
【００１０】
【数１】
2006170826.tif 000003
【００１１】
体の中のエネルギー量と熱分が、体の健康に及ぼす影響の自己管理の実現。
データサンプルをn数１００で取り、データファイルを作成します。
この機器の効果的な実験データの作り方は、1.病気の１週間前の体温、2.病気の３日前の体温、3.病気のその日の体温、4.病気の３日後の体温、5.病気の１週間後の体温。
【００１２】
このデータを周期で管理します。
【産業上の利用可能性】
【００１３】
貸し出しにより、この機器の効果を見ることもできます。また、この機器の委託により、この機器の効果を見ることもできます。これらにより、この機器の正確なデータが得られます。
【図面の簡単な説明】
【００１４】
【図１】制御式の体温計プリンター付きの実施例１の断面図である。実施方法は、従来の体温計の使用方法と同じです。
【図２】制御式の体温計プリンター付きの実施方法を示した針式の表示部分の電気回路の設計図面である。
【図３】制御式の体温計プリンター付きの実施方法を示したディジタルの表示部分の電気回路の設計図面である。
【符号の説明】
【００１５】
１  制御式の体温計プリンター付き
２  この機器の実施図
【図１】
2006170826.tif 000004
【図２】
2006170826.tif 000005
【図３】
2006170826.tif 000006
(57)【要約】【課題】  駆動流体の乱れを少なくして、吸引能力のバラツキを防止することのできるエゼクタを提供する。【解決手段】  ノズル部１と吸込室２と直管部３及びディフューザ４を直線上に配置する。吸込室２の上部に吸込通路６を設ける。吸込室２内で、ノズル部１の外周側に、吸込通路６及び吸込室２からノズル部１への流れを、ノズル部１の駆動流体を中心とした旋回流にして、ノズル部１を流下する駆動流体の乱れを防止することができる平板状の流れ制御部材５を取り付ける。  吸込通路６から吸引される流体は、流れ制御部材５によって駆動流体の乱れを防止することができ、エゼクタとしての吸引能力のバラツキを防止することができる。【選択図】  図１
2006170051.tif 000002
【特許請求の範囲】
【請求項１】
流体を絞る細孔からなるノズル部と、当該ノズル部の周囲に形成した吸込室と、当該吸込室及び上記ノズル部と直管部を介して連通したディフューザとからなるものにおいて、吸込室とノズル部の間に、吸込室からノズル部への流れを制御してノズル部を流下する駆動流体の乱れを防止することのできる流れ制御部材を配置したことを特徴とするエゼクタ。
【発明の詳細な説明】
【技術分野】
【０００１】
本発明は、水等の駆動流体をノズルから高速で噴出させて、その流体の速度エネルギにより吸込室に吸引力を発生するエゼクタに関する。
【背景技術】
【０００２】
エゼクタは、複数の細孔の一端側に細孔径より大きな幅を有した回転操作可能な板状部材を配置して、この板状部材を回転操作して細孔を開閉することによって、通過流体量を調節して、エゼクタとしての吸引能力を制御することができるものである。
【０００３】
このエゼクタにおいては、吸引能力が安定せずにバラツク問題があった。特に、真空度が比較的低く、大気圧に近い真空度の場合に吸引能力が大きくバラツク問題があった。これは、真空度が低い場合に、ノズルから噴出される駆動流体の速度が十分ではなく、吸込室から例えば大気を吸引すると、その吸引大気によって駆動流体の流れが乱され、この乱れによって吸引能力が大きくバラツクものと考えられる。
【特許文献１】特開平５−２２３１００号公報
【発明の開示】
【発明が解決しようとする課題】
【０００４】
解決しようとする課題は、真空度が低い場合であっても、駆動流体の乱れを少なくして、吸引能力のバラツキを防止することのできるエゼクタを提供することである。
【課題を解決するための手段】
【０００５】
本発明は、流体を絞る細孔からなるノズル部と、当該ノズル部の周囲に形成した吸込室と、当該吸込室及び上記ノズル部と直管部を介して連通したディフューザとからなるものにおいて、吸込室とノズル部の間に、吸込室からノズル部への流れを制御してノズル部を流下する駆動流体の乱れを防止することのできる流れ制御部材を配置したことを特徴とする。
【発明の効果】
【０００６】
本発明のエゼクタは、吸込室とノズル部の間に、吸込室からノズル部への流れを制御してノズル部を流下する駆動流体の乱れを防止することのできる流れ制御部材を配置したことにより、真空度が低い場合であっても流れ制御部材で駆動流体の乱れを少なくして、吸引能力のバラツキを防止することができる。
【発明を実施するための最良の形態】
【０００７】
本発明は、吸込室とノズル部の間に、流れ制御部材を配置するものであり、この流れ制御部材としては、吸込室からノズル部への流れを、ノズル部の駆動流体を中心とした旋回流とするものや、あるいは、ノズル部の駆動流体の全周にほぼ均等に流入する分散流とすることができる。
【実施例１】
【０００８】
図１において、ノズル部１と吸込室２と直管部３とディフューザ４、及び、流れ制御部材５とでエゼクタを構成する。
【０００９】
ノズル部１は、図示しない駆動流体としての水等の液体源と接続して、左端部の細孔から駆動流体を絞って噴出することができるものである。ノズル部１の周囲に吸込室２を形成して、吸込室２の上端に吸引する流体の流入する吸込通路６を設ける。
【００１０】
吸込通路６とノズル部１の間、すなわち、吸込室２とノズル部１の間に、吸込通路６からノズル部１への流れを制御してノズル部１を流下する駆動流体の乱れを防止することのできる流れ制御部材５を配置する。
【００１１】
流れ制御部材５は、図２に図１のＡ−Ａ線断面図を示すように、吸込通路６からノズル部１の外周へ向けてほぼ連続的な曲率半径を有する断面略し字状の平板で、吸込通路６及び吸込室２からノズル部１への流れを、ノズル部１の駆動流体を中心とした旋回流にして、ノズル部１を流下する駆動流体の乱れを防止することができるものである。
【００１２】
また、流れ制御部材５は、図２のものに替えて図３に示すものも用いることができる。図３において、ノズル部１と同心円上に円筒状の流れ制御部材７を配置して、円筒状流れ制御部材７の吸込通路６に近い上方箇所に小径孔８を、中央付近に中径孔９を、さらに、円筒状流れ制御部材７の下方箇所に大径孔１０をそれぞれ貫通して配置することによって、吸込通路６及び吸込室２からノズル部１への流れを、ノズル部１の駆動流体の全周にほぼ均等に流入する分散流とすることができるものである。
【００１３】
吸込室２の左方には、直管部３を介してディフューザ４を連通する。ノズル部１と吸込室２と直管部３及びディフューザ４の中心軸を合わせて配置する。また、ディフューザ４の出口側は、図示しない流体使用箇所あるいは流体回収箇所と接続する。
【００１４】
ノズル部１へ供給された駆動流体は絞られて高速流となることによって、吸引力を発生して吸込通路６から流体を吸引する。この場合、吸込通路６から吸引された流体は、流れ制御部材５，７によって、吸込室２からノズル部１への流れが制御され、ノズル部１を流下する駆動流体に乱れを生じさせることが無く、従って、エゼクタとしての吸引能力にバラツキを生じることが無い。
【図面の簡単な説明】
【００１５】
【図１】本発明のエゼクタの実施例を示す断面図。
【図２】図１におけるＡ−Ａ線断面拡大図。
【図３】図２に替わる流れ制御部材７の断面拡大図。
【符号の説明】
【００１６】
１  ノズル部
２  吸込室
３  直管部
４  ディフューザ
５  流れ制御部材
６  吸込通路
７  流れ制御部材
【図１】
2006170051.tif 000003
【図２】
2006170051.tif 000004
【図３】
2006170051.tif 000005
(57)【要約】【課題】  従来の吊り具に比してよりコンパクトであり、より安価に提供できる吊り具を提供することを目的とする。【解決手段】  直線部分、該直線部分の上方に約２７０度の円弧又は楕円弧形状を有するフック部分、該直線部分の下端から、フック部分の開口部位とは異なる側において斜め上方約４０から５０度に伸びる係止部を有する吊り具。【選択図】  図２
2006314528.tif 000002
【特許請求の範囲】
【請求項１】
直線部分、該直線部分の上端より伸びる約２７０度の円弧又は楕円弧形状を有するフック部分、該直線部分の下端から、フック部分の開口部位とは異なる側において斜め上方約４０から５０度に伸びる係止部を有する吊り具。
【請求項２】
直線部分、該直線部分の上端より伸びる約２７０度の円弧又は楕円弧形状を有するフック部分、該直線部分の下端から、フック部分の開口部位とは異なる側において該直線部分下端より上方に該直線部分とともに閉鎖領域を形成するフック孔部分、および同じ側において該フック孔部分の上端部分から斜め上方約４０から５０度に伸びる係止部を有する吊り具。
【請求項３】
フック孔部分の下方に所望の形状と長さを有する軸体を有する、請求項１または２記載の吊り具。
【請求項４】
ステンレス製である、請求項１から３のいずれか１項記載の吊り具。
【発明の詳細な説明】
【技術分野】
【０００１】
本発明は新規な吊り具に関する。
【背景技術】
【０００２】
本出願人は、吊り具に関して開発を続け、実用新案登録第３０３１３９７号および実用新案登録第３０７８１４９号に関する考案をしている。これらの吊り具は大きいため持ち運びに不便であり、販売に際して運送費や貯蔵費が増大し、また形状が複雑なため制作費が高くなるという課題があった。本発明はこれらの点について改良を加えたものである。
【特許文献１】実用新案登録第３０３１３９７号
【特許文献２】実用新案登録第３０７８１４９号
【発明の開示】
【発明が解決しようとする課題】
【０００３】
本発明は従来の吊り具に比してよりコンパクトであり、より安価に提供できる吊り具を提供することを目的とする。
【課題を解決するための手段】
【０００４】
本発明は、直線部分、該直線部分の上端より伸びる約２７０度の円弧又は楕円弧形状を有するフック部分、該直線部分の下端から、フック部分の開口部位とは異なる側において斜め上方約４０から５０度に伸びる係止部を有する吊り具を提供する。
直線部分の上端より伸びる約２７０度の円弧又は楕円弧形状を有するとは、直線部分の上端を起点とし、これから約２７０度の円弧又は楕円弧形状の弧を有することをいう。したがって、右下または左下の約１／４の弧の部分が欠け、開口部位を形成する。フック部分の開口部位とは異なる側とは、たとえば右下の弧が欠けていた場合には左側をいい、この場合係止部位は左側に伸びる。
本発明においては、フック部分と係止部との間を直線とした点に大きな特徴を有する。従来技術においては、かかる部分が曲線であったため、垂直面では使用できなかったのに対し、本発明の吊り具ではタンスや冷蔵庫の外板などの垂直面に沿って係止することができる。
本発明の吊り具の係止部は、直線部分下端より斜め上方約４０から５０度、好ましくは約４５度に伸びる。約４０度よりも角度が大きくより水平方向に係止部が伸びている場合には、吊り具に掛けたものが落ちやすくなり、さらには吊り具自体が落ちやすくなり好ましくない。また約５０度よりも角度が小さくより垂直方向に係止部が伸びている場合には、吊り具に物を掛けづらくなり、またハンドバックの持ち手などを傷つけるので好ましくない。
【０００５】
本発明はさらに、直線部分、該直線部分の上端より伸びる約２７０度の円弧又は楕円弧形状を有するフック部分、該直線部分の下端から、フック部分の開口部位とは異なる側において該直線部分下端より上方に該直線部分とともに閉鎖領域を形成するフック孔部分、および同じ側において該フック孔部分の上端部分から斜め上方約４０から５０度、好ましくは約４５度に伸びる係止部を有する吊り具を提供する。
すなわち、上記の態様において係止部の下に閉鎖領域が形成される。
該閉鎖領域にはハンガーなどを掛けることができる。直線部分下端より上方に該直線部分ともに閉鎖領域を形成するフック孔部分の上端は必ずしも直線部分と接合されることを要しないが、好ましくは溶接などによりフック孔部分が変形して開かないようにされる。
本発明の吊り具は、さらにフック孔部分の下方に所望の形状と長さを有する軸体を有することができる。かかる軸体は公知であり、たとえば実用新案登録第３０７８１４９号に記載されているものが使用できる。
また、フック部分および係止部の末端にはゴムのキャップが取り付けられ、フック部分のすべりを防止し、吊り具が掛けられる家具や係止されるハンドバックなどへの傷付けを防止することができる。
【発明の効果】
【０００６】
本発明の吊り具は、バックなどの重量物を容易に係止することができる。またフック部分下部より下方に伸びる部分が直線であるため、タンスや冷蔵庫の外板などの垂直面に沿って係止することができる。さらに本発明の吊り具は、たとえば、フード付き着衣の干し具としての使用することができ、フック孔部分に着衣を掛けたハンガーの上部を通し、前記係止部にフードをかけることにより、乾燥しにくかったフード部分を容易に乾燥することができる。
本発明の吊り具は、コンバクトであり平面的な構成を有するので、たとえば、旅行の際に携帯するのに好都合である。また、形状が単純であるので製造が容易で、コストを押さえることができる。また、輸送および貯蔵に要する費用が少なくてすむという効果も得られる。
【発明を実施するための最良の形態】
【０００７】
本発明の構成例を、図を参照しつつ以下において説明する。
図１は本発明の好ましい例を示す図であり、フック孔部分を有さず、係止部のみを有する態様を示している。直線部分の上端より伸びる約２７０度の円弧又は楕円弧形状を有するフック部分とは、図のＡの部分をいう。直線部分とはＢの部分をいう。また直線部分下端より斜め上方約４０から５０度に伸びる係止部とはＣの部分をいう。
【０００８】
図２は本発明の好ましい例を示す図であり、フック孔部分と係止部を有する態様を示している。図２においては、直線部分下端より上方に該直線部分ともに閉鎖領域を形成するフック孔部分がＤとして示され、フック孔部分の上端部分から斜め上方約４０から５０度に伸びる係止部はＣとして示されている。
【図面の簡単な説明】
【０００９】
【図１】本発明の好ましい例を示す図である。
【図２】本発明のさらなる好ましい例を示す図である。
【符号の説明】
【００１０】
Ａ：フック部分
Ｂ：直線部分
Ｃ：係止部
Ｄ：フック孔部分
【図１】
2006314528.tif 000003
【図２】
2006314528.tif 000004
(57)【要約】【課題】  着用してスキーをしている人の位置をより明白に示して救助を求めることができる雪めがねを提供する。【解決手段】  雪めがね１に付設するランプ組２は、座台２０と、複数のランプ２１と、ランプ２１の電力を供給するバッテリー２２と、切り換えスイッチ２３とで構成され、ランプ２１と、バッテリー２２と、切り換えスイッチ２３とは全部座台２０の上に組み付けられて電線で相互に連結されて回路を形成する。又このランプ組２はめがね枠１０の内部のはめ付け孔の中に固くはめ付けられて、更にランプ２１はめがね枠１０の壁のランプ孔１０１から突き出される。【選択図】    図２
2006314587.tif 000002
【特許請求の範囲】
【請求項１】
複数のエアホール、複数のランプホール、及びランプ組の座台がはめつけられ、且つ内部に設けられるはめ付け孔を持つめがね枠と、
レンズ部と、
バンドと、
ランプ組とで構成され、
前記ランプ組が点灯されたら強い光を発生して、使用者が救助を求める信号となる事を特徴とする雪めがね。
【請求項２】
前記ランプ組は、座台と、複数のランプと、バッテリーと、ＩＣ回路及びスイッチで組み合わされる切り換えスイッチとで構成され、
前記ランプと前記バッテリーと前記切り換えスイッチとは全部前記座台の上に固設されていることを特徴とする請求項１に記載の雪めがね。
【請求項３】
前記エアホールは、前記めがね枠の上端部と下端部に設けられて、容易にエアが対流的に流動し、前記レンズのくもりが低減されることを特徴とする請求項１に記載の雪めがね。
【請求項４】
前記雪めがねは、オートバイや自転車の乗用者が使用すると、著しく使用者を目立たせることを特徴とする請求項１に記載の雪めがね。
【請求項５】
前記ランプ組は、前記めがね枠の内部にはめ付けられているので前記雪めがねの全体的美観を壊さず、且つ緊密にはめられて脱落が低減されることを特徴とする請求項１に記載の雪めがね。
【発明の詳細な説明】
【技術分野】
【０００１】
本発明は、スキーをする時に使用する雪めがねに関する。
【背景技術】
【０００２】
従来の雪めがねはただ雪のまぶしい反射光を緩和するもので、ランプを付けて、警報に使用するものは未だ市場に見られない。
【発明の開示】
【発明が解決しようとする課題】
【０００３】
それで本発明は、従来の雪めがねに更にランプ組を付設し、スキーをする人が万一道に迷ったり事故を起こしたりした時にそのランプを点灯し、その位置をより明白に示して救助を求めることができるようにする。
【課題を解決するための手段】
【０００４】
上記目的を達成するための雪めがねに付設するランプ組は、座台と、複数のランプ（ＬＥＤのものが好ましい）と、ランプの電力を供給するバッテリーと、切り換えスイッチとで構成され、ランプと、バッテリーと、切り換えスイッチとは全部座台の上に組み付けられて電線で相互に連結されて回路を形成する。又このランプ組はめがね枠の内部のはめこみ孔の中に固くはめ付けられて、更にランプはめがね枠の壁のランプ孔から突き出される。
以上のランプ組は必要な時に切り換えスイッチを操作してランプを点灯させることが出来、スキーをしている人の位置をよりはっきりと表示できて、救助を求めることができる。
【発明を実施するための最良の形態】
【０００５】
本発明の一実施例による雪めがねは、図２、図３、および図４に示すように、めがね枠１０と、レンズ１１と、バンド１２と、ランプ組２とで構成されている。
めがね枠１０はその上下端区に複数のエアホール１００を設けてエアが中から外に流動できる様にし、レンズ１１が熱い水蒸気でくもらない様にする。また、複数のランプ孔１０１をランプ組２のランプ２１がある位置と相対する様に設けてランプを部分的に突き出させ、ランプの光が見える様にする。更に、めがね枠１０の内側にランプ組の座台２０をはめ付けて固定できるはめ付け孔１０２を設けている。
【０００６】
ランプ組２は、座台２０と、複数のランプ２１と、バッテリー２２と、切り換えスイッチ２３とで構成されて適当に電線で相互に結線される。ランプ２１とバッテリー２２と切り換えスイッチ２３とは全部座台の上に固設され、座台は上述の様にめがね枠１０のはめ付け孔１０２の中に固くはめ付けられて、更にランプ２１はめがね枠１０のランプ孔１０１から外に部分的に突き出させておく。又ランプ２１はＬＥＤを使用するのが好ましく、普通の電球でも使用できるがＬＥＤの方が破損しない。又切り換えスイッチ２３はＩＣ回路とスイッチで組み合わされ、ランプ組２は電気回路を形成している。
【０００７】
本実施例の雪めがねを組み合わせ使用する時は、図２に示す様に、最初にランプ組２をめがね枠１０のはめ付け孔１０２の中にはめ付けて固定させてから、ランプ２１をランプ孔１０１に部分的に突き出させておく。それでスキーをする人はこの雪めがねを頭にバンド１２ではめ付けておき、雪の上をスキーしている時必要があったら切り換えスイッチを操作してランプ２１を点灯させることができ、よりはっきりとそのスキーをしている人の位置を明示して救助者の注目を引くことができるから、迷ったり事故を起こしたりした時に、その危機を早急にのがれることができる。
【０００８】
本実施例の雪めがねは次の効果を持つ。
（１）別に外の用具を携帯しなくてもよく、ランプ組２は雪めがねの実用性を増加させる。
（２）この雪めがねの使用者は意外な事故に出会った時、ランプ組を点灯して他人の注目を引くことができ、救助人員が迅速に救急にくることができる。
（３）めがね枠のエアホールはエアの流動をよくさせて、使用者の熱い空気を排出でき、使用者は余り不快な感じを受けない。
（４）ランプ組２のランプを図５が示す様に真正面に向けさせ、オートバイや自転車の乗用者が使用すれば、その明白な光により車事故を有効に減少させることができる。
（５）ランプ２１はＩＣ回路により点滅する様に点灯させることができる。
（６）ランプ組２はめがね枠１０の内部に固定されているので、雪めがねの全体的美観を損なわない。
【図面の簡単な説明】
【０００９】
【図１】従来の雪めがねの斜視図である。
【図２】本発明の一実施例による雪めがねの分解斜視図である。
【図３】本発明の一実施例による雪めがねの部分断面図である。
【図４】本発明の一実施例による雪めがねを使用している情況の斜視図である。
【図５】本発明の一実施例による雪めがねをオートバイや自転車の乗用者が使用している情況を示す斜視図である。
【符号の説明】
【００１０】
１  雪めがね、１０  めがね枠、１００  エアホール、１０１  ランプ孔、１０２  はめ付け孔、１１  レンズ、１２  バンド、２  ランプ組、２０  座台、２１  ランプ、２２  バッテリー、２３  切り換えスイッチ
【図１】
2006314587.tif 000003
【図２】
2006314587.tif 000004
【図３】
2006314587.tif 000005
【図４】
2006314587.tif 000006
【図５】
2006314587.tif 000007
(57)【要約】【課題】  現在一般的に売られているような仮装用品の耳では自由な表現に限界がある。【解決手段】  カチューシャをスライドする部品で取り付けた針金で自由に形を変えられ，髪留めによる装着も可能とする動物耳【選択図】図１
2006314368.tif 000002
【特許請求の範囲】
【請求項１】
カチューシャをスライドする部品で取り付けた針金で自由に形を変えられる動物耳
【請求項２】
スライド部分に髪留めの金具を差し込むことでカチューシャ無しでの使用も可能な請求項１の動物耳
【発明の詳細な説明】
【技術分野】
【０００１】
本発明は，パーティーグッツ・仮装用品などで使われるネコ耳などの動物耳を好みに合わせて自在に形を変えられる装置に関するものである，
【背景技術】
【０００２】
現在パーティーグッツ・仮装用品で使われるような動物耳はカチューシャに固定してあるか，髪留めに固定してあり，形状を変えることはできない。
【発明の開示】
【発明が解決しようとする課題】
【０００３】
しかしながら，動物はそのときの気分で耳の形を変化させ感情を表現している。
個性を求める人たちはそういった変化も欲している。
また，カチューシャでの装着は髪型などに干渉して都合の悪い場合もある。
より，好みに会わせた自由度の高いものが求められている。
【課題を解決するための手段】
【０００４】
プラスチック板などで作った耳形のプレートを自在に動く針金を介しカチューシャのフレームの形に貫通穴の空いた部品でつなぐ，これによりカチューシャ部分を耳の部品がスライドし位置が自由にでき，針金により耳の角度も自由にできる。
また，髪型によりカチューシャでは装着しにくい場合，スライド部分の穴に髪留めを差し込みカチューシャ無しでの装着も可能となる。これが本発明の特徴である。
【発明の効果】
【０００５】
パーティーグッツの仮装用品として使用される動物耳を本発明により，そのときの好みで装着することができる。
【実施例１】
【０００６】
本発明は図１に示す部品１，２，３で構成され
１の耳型は２の針金などにより図２のように自由に角度を変えられる。１，２の部品は３によりカチューシャ上をスライドすることでその取り付け位置を変えられる。図３
カチューシャを使用したくない場合には，図４のようにスライド部３の穴に部品５の髪留めを差し込み，髪に挟んで取り付ける。図５はその使用例の側面図である。
【図面の簡単な説明】
【０００７】
【図１】本発明の全体図である。
【図２】耳の動きを示す図である。
【図３】スライド部分の断面図。
【図４】髪留めの取り付け方を示す図である。
【図５】髪留めによる装着の側面図である。
【符号の説明】
【０００８】
１ 耳型プレート
２ 針金
３ スライド部品
４ カチューシャ
５ 髪留め
【図１】
2006314368.tif 000003
【図２】
2006314368.tif 000004
【図３】
2006314368.tif 000005
【図４】
2006314368.tif 000006
【図５】
2006314368.tif 000007
(57)【要約】【課題】  犬の糞の処理を簡単・衛生的・経済的に行う為に、手で掴む感覚で犬の糞を処理できる用具を提供する。【解決手段】  糞の上に紙を被せ、ポリ袋の中に用具を入れ糞を掴み取り、地面に汚れがあれば用具からはみ出した紙で地面の汚れを拭き取る。ポリ袋をひっくり返して口を結んで持ち帰る。この用具は使い捨てでなく耐久性があるので、衛生的・経済的である。【選択図】  図１
2006314308.tif 000002
【特許請求の範囲】
【請求項１】
人の手で掴み取る感覚で糞を簡単・衛生的・経済的に処理出来る、犬用糞処理用具。
【発明の詳細な説明】
【発明の詳細な説明】
【技術分野】
【０００１】この発明は、犬の散歩時等、犬の糞の処理を出来るだけ簡単、衛生的、経済的に処理したいとの思いから考案した犬の糞処理用具に関するものである。
【背景技術】
【０００２】犬の散歩時の糞の処理方法としては以下のような方法があります。
１．スコップ等ですくってポリ袋等に入れて持ち帰る。
２．土のあるところなら埋めて、上から土をかぶせる。
３．ポリ袋を手袋の代わりにして新聞紙やティッシュで掴み、ポリ袋をひっくり返して縛って持ち帰る。
４．新聞紙等で掴みポリ袋に入れて持ち帰る。
５．ホームセンター等で販売されている使い捨ての糞取り袋を使う。
【発明が解決しようとする課題】
【０００３】  １．スコップを使うのはアスファルトの道や草むらの中等では、糞を掬い取る事は難しい。又掬い取った糞はポリ袋に入れ結ぶと臭わないが、汚れたスコップは又使用する可能性がある為そのまま持ち歩く事になる。その際の臭いが不快である。帰ってからもスコップを洗う事も大変である。
２．ポリ袋を手袋代わりにして糞を掴み取りひっくり返す方法は、間接的にではあるが糞に触れた時のグニヤッとした感触・生暖かい温度が不快である。
３．糞を地面に落ちる前に受け取り回収する方法は最も理想的ではあるが、犬の方ばかり見て散歩している訳ではないので受け取るタイミングを取るのが難しい。又、犬の本来の排泄をストップさせたり、犬に違和感を与える可能性がある。
４．糞による路面の汚れを最小限に抑える事。
５．使い捨てではなく何度でも使えて、経済的である事。
【課題を解決するための手段】
【０００４】  １．スコップや器具を使う方法は色々あると思うが、簡単に処理しようと思う時人間の手に勝る道具はないと思われる。本発明は手で掴む感覚で糞を処理する事ができる。又、用具をポリ袋で包む事によって手や用具が汚れる事はない。臭いはポリ袋の口を結ぶ事によって防止出来、糞は紙で覆われているのでポリ袋の外から糞が直接見えない。
２．用具を使って糞を掴む事で、手に糞のいやな感触・生暖かさが伝わる事を解消する事ができる。
３．糞が地面に落ちてから処理する為、糞の落ちるタイミングを取る必要がなく、犬の自然な排泄を妨げる事がない。
４．用具からはみ出した紙で、手に近い感覚で路面の汚れを拭き取る事ができる。
５．用具は使い捨てではなく耐久性があり経済的である。
本発明は手の握る動きに合わせて変形する用具と、それを包むポリ袋、糞の上に被せる紙。によって構成される犬用の糞処理用具である。
【発明を実施するための最良の形態】
【０００５】  以下、本発明の実施の形態について説明する。
１．糞（１）の上に紙（２）を被せる。この時、紙は路面の汚れを拭き取る余裕を持たせた物を使用する。
２．ポリ袋（３）の中に用具（４）を入れる。
３．ポリ袋の中に手を入れ用具を軽く握る。この時、用具にポリ袋を沿わせる。その用具を使って紙の上から糞を掴み取る。
４．地面に汚れがある時は、用具からはみ出した紙で地面の汚れを軽く拭き取る。
５．片手で用具を握った状態で、もう片一方の手でポリ袋をひっくり返してポリ袋の口を結ぶ。
【発明の効果】
【０００６】  手で掴む感覚で糞を簡単・衛生的・経済的に処理する事ができる。又、これらの事により糞の放置が少なくなり環境美化・衛生面からも問題が解決されると思われる。
【図面の簡単な説明】
【図１】  本発明の使用時の斜視図である。
【図２】  本発明使用時の断面図である。
【図３】  本発明の用具単体の斜視図である。
【符号の説明】
１  糞
２  紙
３  ポリ袋
４  用具
【図１】
2006314308.tif 000003
【図２】
2006314308.tif 000004
【図３】
2006314308.tif 000005